(57)【要約】【課題】乾燥効率が良く短時間で乾燥することができる乾燥方法により、乾燥後に固まった状態とならないフリーズドライ製品の製造方法を提供する。【解決手段】加熱が可能な撹拌槽に撹拌羽根を備えて、真空ポンプで減圧することにより、被処理物の乾燥を行う撹拌造粒機を用いて、フリーズドライ製品を製造する。フリーズドライ製品の製造方法は、昇華工程を含む。前記昇華工程では、前記撹拌槽に入っている凍結した被処理物を減圧環境下で撹拌しながら加熱することにより昇華させる。【選択図】図２
2020085347.tif 000002
【特許請求の範囲】
【請求項１】
加熱が可能な撹拌槽に撹拌羽根を備えて、真空ポンプで減圧することにより、被処理物の乾燥を行う撹拌造粒機を用いたフリーズドライ製品の製造方法であって、
前記撹拌槽に入っている凍結した被処理物を減圧環境下で撹拌しながら加熱することにより昇華させる昇華工程を含むことを特徴とするフリーズドライ製品の製造方法。
【請求項２】
請求項１に記載のフリーズドライ製品の製造方法であって、
前記撹拌槽で撹拌しながら冷却することにより被処理物を凍結させる凍結工程が、前記昇華工程の前に行われることを特徴とするフリーズドライ製品の製造方法。
【請求項３】
請求項２に記載のフリーズドライ製品の製造方法であって、
前記凍結工程では、前記撹拌槽内に液体窒素を供給することで被処理物を凍結させることを特徴とするフリーズドライ製品の製造方法。
【請求項４】
請求項１から３までの何れか一項に記載のフリーズドライ製品の製造方法であって、
前記撹拌羽根は、前記撹拌槽の底部に配置されて上下方向に回転軸を有し、
前記撹拌造粒機は、解砕羽根を備え、
前記解砕羽根は、前記撹拌槽の側壁部に配置されて、前記撹拌羽根の回転軸と異なる向きの回転軸を有することを特徴とするフリーズドライ製品の製造方法。
【請求項５】
請求項１から４までの何れか一項に記載のフリーズドライ製品の製造方法であって、
前記撹拌槽にはジャケットが形成されており、
前記撹拌槽内における加熱及び冷却のうち少なくとも一方は、前記ジャケットに熱媒体を供給することで行われることを特徴とするフリーズドライ製品の製造方法。
【請求項６】
加熱が可能な撹拌槽に撹拌羽根を備えて、真空ポンプで減圧することにより、被処理物の乾燥を行う撹拌造粒機を含むフリーズドライシステムであって、
前記撹拌槽に入っている凍結した被処理物を減圧環境下で撹拌しながら加熱することにより昇華させる昇華制御を行う制御装置を備えることを特徴とするフリーズドライシステム。
【発明の詳細な説明】
【技術分野】
【０００１】
本発明は、主として、撹拌造粒機を用いてフリーズドライ製品を製造する方法に関する。
【背景技術】
【０００２】
従来から、真空及び低温を使用して、製品から湿気を除去してフリーズドライ製品を製造する方法が知られている。フリーズドライ製法は、製品から、溶媒又は懸濁媒体、一般的には水を、製品から除去するプロセスである。特許文献１には、この種のフリーズドライ製品の製造方法が開示されている。
【０００３】
特許文献１の噴霧凍結及び撹拌乾燥を使用するバルク・フリーズドライシステムは、フリーズドライプロセスの間、製品を収容するフリーズドライチャンバーと、製品源に接続された少なくとも一つの製品噴霧ノズルを含む構成となっている。システムは、製品を撹拌する撹拌機構と、チャンバーを加熱する加熱器と、フリーズドライチャンバーから受け取った排気ガスからの蒸気を凝縮する表面を備える凝縮チャンバーと、凝縮チャンバーと連通している真空ポンプとを含んでいる。
【０００４】
フリーズドライ機は、製品の霧化噴霧を無菌液体窒素と混合することによって製品を凍結させる。結果として得られる粉末は槽内でフリーズドライされ、槽の内容物が撹拌されて、製品と加熱した槽壁との接触を維持し、凝集を防ぐ。
【０００５】
また、特許文献２では、タンブラー型回転乾燥機で減圧乾燥する技術が開示されている。乾燥機は、被乾燥物を攪拌、混合する乾燥機本体と、凝縮器と、凝縮器に連絡した真空ポンプと、乾燥機本体の外壁に設けた被乾燥物の水分蒸発用加熱ジャケットを有する構成となっている。
【０００６】
前記乾燥機においては、被乾燥物を回転可能な乾燥機本体内へ投入して、同乾燥機本体内の空気を凝縮器から真空ポンプを経て排気し、同乾燥機本体の圧力を急速に低下させる。被乾燥物の温度は低温に保持する。次いで、同乾燥機本体を回転させて、被乾燥物を攪拌、混合するとともに、同乾燥機本体の外壁に設けた加熱ジャケットからの伝導伝熱と輻射熱により、被乾燥物中の凍結した水分を蒸発（昇華）させて、被乾燥物を乾燥させる。この蒸発の進行により被乾燥物の温度が加熱温度付近まで上昇して、乾燥が完了したら、凝縮機及び真空ポンプの運転を停止させ、乾燥機本体を大気圧にして、被乾燥物を乾燥機本体外へ取り出す。
【０００７】
また、特許文献３に開示されているように、従来から、原料を造粒して、所望の生成物を製造するために造粒機が使用されている。例えば、広く利用されている攪拌造粒機は、原料を収納して攪拌、混合して造粒物を製造する円筒状の容器と、前記容器内において、回転可能に設けられた攪拌羽根と、混合時の粉体の拡散性の向上及び造粒時の塊の粉砕等のための解砕羽根を備えている。そして、攪拌羽根を回転させることにより、容器内の原料を攪拌、混合し造粒する。
【先行技術文献】
【特許文献】
【０００８】
【特許文献１】特許５６８０１９９号公報
【特許文献２】特開平６−４２８６７公報
【特許文献３】特開２０１８−１０８５３９号公報
【発明の概要】
【発明が解決しようとする課題】
【０００９】
しかし、従来のフリーズドライ製品の製造方法は、処理物をセットして、凍結しながら減圧した後、減圧状態で加熱していたため、乾燥効率が悪く、時間が掛かるものであった。そして、処理物を棚に並べて乾燥する方式の場合、乾燥機の設置に大きなスペースが必要であった。また、棚に処理物を静置し、棚を温めて昇温させるため、処理物に熱が伝わりにくく、効率が悪かった。また、粉や造粒粉を乾燥しても、固まった状態となり、用途によっては解砕が必要であった。
【００１０】
本発明は以上の事情に鑑みてされたものであり、その目的は、乾燥効率が良く、乾燥後に固まった状態とならないフリーズドライ製品の製造方法を提供することにある。
【課題を解決するための手段】
【００１１】
本発明の解決しようとする課題は以上の如くであり、次にこの課題を解決するための手段とその効果を説明する。
【００１２】
本発明の第１の観点によれば、以下のフリーズドライ製品の製造方法が提供される。即ち、このフリーズドライ製品の製造方法では、加熱が可能な撹拌槽に撹拌羽根を備えて、真空ポンプで減圧することにより、被処理物の乾燥を行う撹拌造粒機を用いる。フリーズドライ製品の製造方法は、昇華工程を含む。前記昇華工程では、前記撹拌槽に入っている凍結した被処理物を減圧環境下で撹拌しながら加熱することにより昇華させる。
【００１３】
これにより、撹拌槽内で被処理物を撹拌しながら乾燥させるので、静置状態で乾燥する場合に比べて効率が良い。更に、撹拌しながら乾燥させるため、乾燥した被処理物が固まった状態とはならない。従って、乾燥後の解砕が不要である。
【００１４】
本発明の第２の観点によれば、以下の構成のフリーズドライシステムが提供される。即ち、このフリーズドライシステムは、加熱及び冷却が可能な撹拌槽に撹拌羽根を備えて、真空ポンプで減圧することにより、被処理物の乾燥を行う撹拌造粒機を含む。フリーズドライシステムは、昇華制御を行う制御装置を備える。前記昇華制御は、前記撹拌槽に入っている凍結した被処理物を減圧環境下で撹拌しながら加熱することにより昇華させる。
【００１５】
これにより、撹拌槽内で被処理物を撹拌しながら乾燥させるので、静置状態で乾燥する場合に比べて効率が良い。更に、撹拌しながら乾燥させるため、乾燥した被処理物が固まった状態とはならない。従って、乾燥後の解砕が不要である。
【発明の効果】
【００１６】
本発明によれば、乾燥効率が良く、乾燥後に固まった状態とならないフリーズドライ製品を製造することができる。
【図面の簡単な説明】
【００１７】
【図１】本発明の一実施形態に係る撹拌造粒機の全体的な構成を示す一部断面斜視図。
【図２】撹拌造粒機を含むフリーズドライシステムを示す概略図。
【図３】フリーズドライ製品の製造方法を示すフローチャート。
【図４】水の状態図において本実施形態のフリーズドライ製品の製造方法を示す図。
【発明を実施するための形態】
【００１８】
次に、図面を参照して本発明の実施の形態を説明する。図１は、本発明の一実施形態に係る撹拌造粒機１の全体的な構成を示す一部断面斜視図である。図２は、撹拌造粒機１を含むフリーズドライシステムを示す概略図である。図３は、フリーズドライ製品の製造方法を示すフローチャートである。図４は、水の状態図において本実施形態のフリーズドライ製品の製造方法を示す図である。
【００１９】
本実施形態の撹拌造粒機１は、液状の原料を撹拌しながら造粒することにより、粉状又は粒状のフリーズドライ製品を製造することができる。撹拌造粒機１は、例えば、食品、医薬品、電池、電子部品、金属、セラミックス、化学等の分野で用いられる。
【００２０】
図１に示すように、撹拌造粒機１は、容器（撹拌槽）２と、撹拌機構５４と、スクレーパ機構４５と、を備える。
【００２１】
容器２は、上方を開放させた略回転対称形状に形成されている。容器２の開放部分を塞ぐように、開閉可能な蓋６が設置される。蓋６は気密性を有しており、蓋６を閉鎖したとき、容器２の内部を密封することができる。
【００２２】
蓋６には、原料供給口７と、排気口２９と、が形成されている。原料供給口７は、蓋６の外周に配置されている。原料供給口７を介して、容器２の内部に原料を供給することができる。排気口２９には、図２に示すように真空ポンプ１８が接続されている。排気口２９を介して、容器２の内部の空気を必要に応じて排出することができる。
【００２３】
容器２及び蓋６には、液体が通過可能な経路であるジャケット１５が設けられる。これにより、容器２の内部を、当該液体を介して加熱及び冷却することができる。
【００２４】
撹拌機構５４は、容器２の内部において原料を撹拌する。撹拌機構５４は、アジテータ３と、チョッパ５と、を備える。
【００２５】
アジテータ３は、原料の混合時において、原料の全体を偏りなく撹拌する。アジテータ３は、アジテータ羽根（撹拌羽根）４と、アジテータ羽根回転軸９と、アジテータ羽根駆動用モータ８と、を備える。
【００２６】
アジテータ羽根４は、容器２の内部において、底部の中央に配置されている。アジテータ羽根４は、上下方向の軸を中心として回転可能に支持される。本実施形態においては、アジテータ羽根４は周方向に均等な間隔で３つ配置されている。ただし、アジテータ羽根４の数は、原料の種類や容器２の大きさ等に応じて適宜変更することができる。
【００２７】
アジテータ羽根回転軸９は、容器２の下方において回転可能に支持されている。アジテータ羽根回転軸９の上端はアジテータ羽根４に連結されている。
【００２８】
アジテータ羽根駆動用モータ８は、アジテータ羽根回転軸９の下方に設置されている。アジテータ羽根駆動用モータ８の出力軸は、アジテータ羽根回転軸９に連結されている。アジテータ羽根駆動用モータ８がアジテータ羽根回転軸９を駆動することで、アジテータ羽根４を回転させることができる。
【００２９】
アジテータ羽根回転軸９は、公知のシールボックス１７に収められている。これによりエアシールが実現され、容器２の気密性を確保することができる。
【００３０】
チョッパ５は、原料の混合時において、アジテータ羽根４とは異なる方向で原料に切り込むように回転する。これにより、混合の分散性を高めることができる。また、チョッパ５は、造粒時において、塊を粉砕して粒を整えることができる。チョッパ５は、図２等に示すように、チョッパ羽根（解砕羽根）２８と、チョッパ羽根回転軸１０と、チョッパ羽根駆動用モータ１１と、を備える。
【００３１】
チョッパ羽根２８は、図１に示すように、容器２の内部において、側壁の近傍に配置されている。チョッパ羽根２８は、水平方向の軸（アジテータ羽根４の回転軸と異なる向きの軸）を中心として回転可能に支持される。
【００３２】
チョッパ羽根回転軸１０は、容器２を貫通するように配置され、回転可能に支持されている。チョッパ羽根回転軸１０の一端はチョッパ羽根２８に連結されている。
【００３３】
チョッパ羽根駆動用モータ１１は、図２に示すように、容器２の外側に配置されている。チョッパ羽根駆動用モータ１１の出力軸は、チョッパ羽根回転軸１０に連結されている。チョッパ羽根駆動用モータ１１がチョッパ羽根回転軸１０を駆動することで、チョッパ羽根２８を回転させることができる。
【００３４】
図１に示すスクレーパ機構４５は、容器２及び蓋６の壁面に付着した原料等を掻き取る。スクレーパ機構４５は、容器２の内部において、蓋６の中央部から吊り下げるように配置される。スクレーパ機構４５は、駆動軸４６と、アーム４９と、スクレーパ５０と、を備える。
【００３５】
駆動軸４６は、蓋６を上下方向に貫通するように配置され、回転可能に支持されている。駆動軸４６は、図略のモータの出力軸と連結されている。
【００３６】
スクレーパ５０は、蓋６の下面に接触しながら回転するものと、容器２の側壁の内面に接触しながら回転するものと、の２種類がある。それぞれのスクレーパ５０は、駆動軸４６の下端に、アーム４９を介して固定される。
【００３７】
モータが駆動軸４６を駆動することにより、スクレーパ５０は、チョッパ羽根２８と干渉しない範囲で往復回転する。これにより、容器２及び蓋６の内面に付着した原料を剥離して、容器２の中に落とすことができる。
【００３８】
容器２の下部には、混合、造粒された粉粒体製品を排出するための排出装置１２が設けられている。図１に示すように、排出装置１２は、排出ダンパ弁１３と、排出ダンパシュート１４と、を備える。排出ダンパ弁１３を開くことにより、容器２の内部の粉粒体製品を排出ダンパシュート１４から排出することができる。
【００３９】
図２に示す熱媒体供給装置１６は、容器２及び蓋６の内部に形成されたジャケット１５に熱媒体を供給するとともに、この熱媒体の温度を調整する。これにより、容器２の内部における被処理物の温度を制御することができる。
【００４０】
熱媒体供給装置１６は、冷却媒体流路２４と、冷温水流路２５と、を有する。冷却媒体流路２４は、冷凍機１９で冷却された熱媒体の流路である。冷温水流路２５は、温調器２３で加熱された冷温水の流路である。
【００４１】
冷却媒体流路２４には、ブラインタンク２０と、循環ポンプ２１と、冷凍機１９と、が配置されている。ブラインタンク２０には、熱媒体が貯留される。循環ポンプ２１は、ブラインタンク２０内の熱媒体を冷凍機１９との間で循環させる。冷凍機１９は、熱媒体を冷却する。
【００４２】
冷却媒体流路２４には、ブラインタンク２０内の熱媒体をジャケット１５側に送り出す送液ポンプ２２が配置されている。熱媒体が流れる方向において送液ポンプ２２の下流側には、三方弁３４が設けられている。
【００４３】
熱媒体は、冷凍作用を被冷却体に伝える仲介をする不凍液体のブラインである。この熱媒体としては、アルコール等の様々なものを用いることができる。本実施形態では、濃度５０パーセントのメタノール水溶液が熱媒体として用いられている。
【００４４】
三方弁３４は、送液ポンプ２２から送られてきた熱媒体をジャケット１５に供給する状態と、熱媒体をジャケット１５に供給せずブラインタンク２０側に戻す状態と、の間で切り換えることができる。また、三方弁３４は、ジャケット１５側と戻し側とに分配される熱媒体の割合を調整することができる。これにより、ジャケット１５に流れる熱媒体の流量を変更して、ジャケット１５に与える冷熱量又は熱量を調整することができる。
【００４５】
三方弁３４が備える図略の弁体は、モータ３３に接続されている。従って、モータ３３を駆動することで、弁体の角度を変更することができる。
【００４６】
冷温水流路２５には、温調器２３と、三方弁３６と、熱交換器２６と、電磁弁３８と、流量制御弁３９と、が配置されている。
【００４７】
温調器２３は、冷温水流路２５を流れる冷温水を加熱することができる。冷温水流路２５で加熱された冷温水は、図示しないポンプによって三方弁３６に送られる。
【００４８】
三方弁３６は、温調器２３から送られてきた冷温水を熱交換器２６に供給する状態と、冷温水を熱交換器２６に供給せず温調器２３側に戻す状態と、の間で切り換えることができる。
【００４９】
熱交換器２６は、冷却媒体流路２４において三方弁３４からジャケット１５に熱媒体が流れる経路の中途部に配置されている。熱交換器２６は、供給される冷温水と、熱媒体との間で熱交換を行うことにより、熱媒体の温度を上昇させる。熱交換により温度が低下した冷温水は、温調器２３に戻される。
【００５０】
三方弁３６は、熱交換器２６側と戻し側とに分配される冷温水の割合を調整することができる。これにより、熱交換器２６に流れる冷温水の流量を変更して、熱交換器２６において熱媒体が温められる度合いを変更することにより、ジャケット１５に供給される熱媒体の温度を調整することができる。
【００５１】
三方弁３６が備える図略の弁体は、モータ３５に接続されている。従って、モータ３５を駆動することで、弁体の角度を変更することができる。
【００５２】
三方弁３６及び熱交換器２６から温調器２３へ冷温水が戻る経路には、流量制御弁３９と、電磁弁３８と、が配置されている。これにより、冷温水流路２５における冷温水の流れを制御することができる。
【００５３】
熱媒体は、熱交換器２６を通過した後、送り流路４０を通過して、撹拌造粒機１のジャケット１５へ供給される。ジャケット１５から出た熱媒体は、戻し流路４１を通過して、ブラインタンク２０に戻される。送り流路４０及び戻し流路４１は、冷却媒体流路２４の一部を構成する。
【００５４】
戻し流路４１の中途部には、熱媒体の温度を検出可能な温度センサ３７が配置されている。この温度センサ３７は、上述の三方弁３４，３６のそれぞれを駆動するモータ３３，３５に電気的に接続されている。温度センサ３７は、温度調整機能を有している。具体的に説明すると、温度センサ３７は、検出する熱媒体の温度が目標値となるように、モータ３３，３５を介して三方弁３４，３６の開閉を行い、流路に供給される熱媒体や冷温水の量を調整する。
【００５５】
温度センサ３７には、制御装置５１が電気的に接続される。制御装置５１は公知のコンピュータとして構成されており、ＣＰＵ、ＲＯＭ、ＲＡＭ、タイマ回路等を備える。制御装置５１は、温度センサ３７に対して、熱媒体の温度目標値を指示する。
【００５６】
次に、容器２の内部を減圧可能とする構成について説明する。図２に示すように、蓋６に形成されている排気口２９は、真空ポンプ１８に接続されている。真空ポンプ１８は、モータ３０によって駆動される。モータ３０の回転速度等は、インバータ３１によって制御される。
【００５７】
撹拌造粒機１の容器２には圧力センサ３２が取り付けられている。圧力センサ３２は、インバータ３１に電気的に接続される。インバータ３１は、圧力調整機能を有している。具体的に説明すると、インバータ３１は、圧力センサ３２が検出する圧力が目標値となるように、モータ３０の回転数を変更し、真空ポンプの排気量を調整する。これにより、容器２内の圧力を制御することができる。
【００５８】
インバータ３１には、制御装置５１が電気的に接続されている。制御装置５１は、インバータ３１に対して、圧力目標値を指示する。
【００５９】
排気口２９と真空ポンプ１８との間の排気経路には、公知のフリーズトラップ２７が設けられている。これにより、容器２内を減圧するときに、蒸発した水を凍らせて回収することができる。
【００６０】
次に、容器２の内部を冷却又は加熱する場合の熱媒体供給装置１６の動作について説明する。
【００６１】
冷凍機１９によって予め冷却された熱媒体は、ブラインタンク２０から三方弁３４に供給される。三方弁３４は、ブラインタンク２０と熱交換器２６とを接続している。従って、熱媒体は、熱交換器２６を経由してジャケット１５に送られる。熱交換器２６を通過する前の熱媒体の温度は、例えば−４０℃以上かつ０℃以下である。
【００６２】
熱交換器２６において、熱媒体と冷温水との間で、必要に応じて熱交換が行われる。三方弁３６を制御することで、温調器２３から熱交換器２６に供給される冷温水の流量を適宜変更することができる。冷温水の温度は、例えば１０℃以上かつ４０℃以下である。
【００６３】
熱媒体は、熱交換器２６を通過することにより、−４０℃から４０℃までの間の温度で調整される。ジャケット１５に供給される熱媒体の温度を例えば−４０℃とすることで、容器２内の原料等を冷却することができ、４０℃とすることで、逆に加熱することができる。
【００６４】
ジャケット１５を通過した熱媒体は、戻し流路４１を経由してブラインタンク２０に戻される。ブラインタンク２０内の熱媒体は、冷凍機１９により冷却されて、再びジャケット１５側に送られる。
【００６５】
このように、撹拌造粒機１は、ジャケット１５付きの容器２にアジテータ羽根４を備え、真空ポンプ１８で減圧することにより被処理物の乾燥を行う。即ち、容器２に被処理物となる湿潤物を投入して、真空引きしながら、優れた撹拌作用を有するアジテータ羽根４を回転駆動する。被処理物は、アジテータ羽根４の回転による遠心力によって径方向外側に移動する。そして、アジテータ羽根４の形状がもたらす被処理物の反転運動と、減圧により水等の沸点が低下して対象物からの蒸発を活発化させる現象とで、被処理物から水分が良好に蒸発して、効率良く乾燥するようになる。
【００６６】
そして、アジテータ３やチョッパ５による撹拌機構５４、真空ポンプ１８による圧力調整機構５３、及び、熱媒体供給装置１６は、制御装置５１によって制御される構成となっている。即ち、図２に示されるように、アジテータ羽根駆動用モータ８、チョッパ羽根駆動用モータ１１、インバータ３１、及び温度センサ３７は、制御装置５１と接続されている。そして、容器２に投入された原料（被処理物）からフリーズドライ製品を製造する一連の作業が、制御装置５１によって自動的に動作を切り替えて行うことができるよう構成されている。動作の切替のタイミングは、例えば、制御装置５１が備えるタイマ５２を利用して定めれば良い。あるいは、容器２内の温度、圧力の変化により、動作切替のタイミングを推測しても良い。
【００６７】
次に、前記撹拌造粒機１を用いたフリーズドライ製品の製造方法について詳細に説明する。
【００６８】
先ず、図２及び図３に概略的に示されるように、被処理物である湿潤物を撹拌造粒機１の容器２に投入し、アジテータ羽根４を回転させて湿潤物を撹拌しながら、ジャケット１５に低温の熱媒体を供給して冷却する（第１工程、凍結工程、ステップＳ１０１）。被処理物としては、例えば、金属、食品、無機物等からなる粉末に液体のバインダ（結合剤）を添加した湿潤物を挙げることができる。容器２内において、湿潤物は、アジテータ羽根４の回転により適宜バインダと混合するように撹拌されつつ、容器２の側壁に衝突して跳ね返され、上方へ押し上げられて反転する。湿潤物はバインダにより結合されて造粒され、凍結して氷の粒となり、凍結造粒品となる。
【００６９】
なお、凍結は、アジテータ羽根４を回転させて撹拌させることで造粒された被処理物に液体窒素を添加することにより行われてもよい。液体窒素は、容器２内に設けられた適宜の供給口から供給することができる。この場合、被処理物は、撹拌されながら液体窒素と効率的に混合されるので、短時間で凍結する。液体窒素を用いて冷却を行う場合、撹拌造粒機１において容器２の冷却機能を省略することもできる。
【００７０】
また、本実施形態においては、湿潤物を投入して、造粒しながら凍結させる構成としたが、あらかじめ造粒された造粒品を容器２に投入して、撹拌しながら凍結させる構成としてもよい。また、撹拌造粒機１とは別の装置であらかじめ凍結された造粒品を容器２に投入して、撹拌造粒機１での処理は後述の第２工程より開始する構成としても良い。
【００７１】
次に、撹拌と冷却を行いながら、真空ポンプ１８により容器２内を減圧する（第２工程、ステップＳ１０２）。更に、撹拌と減圧を行いながら、温めた熱媒体をジャケット１５に供給して加熱する（第３工程、昇華工程、ステップＳ１０３）。減圧環境下で撹拌しながら温度を上げることで、凍結造粒品となった被処理物は昇華してフリーズドライ製品となる。凍結造粒品の加熱は、アジテータ羽根４を回転させることで発生した撹拌熱も利用して行う。
【００７２】
気化させる溶媒は様々に考えられるが、ここでは水を例として、被処理物を乾燥させる過程を説明する。
【００７３】
図４には、水の状態図との関係で、本実施形態のフリーズドライ製品の製造方法が示されている。図４の状態図において、縦軸が圧力、横軸が温度である。水は、温度と圧力に依存して、氷（固相）、水（液相）、水蒸気（気相）の３つの状態をとる。３つの相を分けている相境界曲線は、昇華曲線、蒸気圧曲線、及び融解曲線からなる。昇華曲線上では氷と水蒸気が共存し、蒸気圧曲線上では水と水蒸気が共存し、融解曲線上では水と氷が共存する。そして、温度が０．００７５℃、圧力が０．００６ａｔｍである点は、３つの相境界曲線が交わる三重点Ｐ１であり、氷、水、水蒸気の３相が共存する。
【００７４】
本実施形態の減圧乾燥方法においては、まず、被処理物中の水分は、常温における水の状態から温度が低下して氷の状態となる（ステップＳ１０１）。
【００７５】
次に、温度を一定にしたままで、減圧が行われる（ステップＳ１０２）。減圧する際の圧力は、０．００６ａｔｍ（４．５８ｍｍＨｇ）以下とする。これにより、温度を上げる過程で、被処理物中の水分の昇華が起こるようにすることができる。
【００７６】
続いて、温度を上昇させる（ステップＳ１０３）。これにより、被処理物中の水分を昇華させて、被処理物を乾燥させる。本実施形態においては、蒸発させる物質を水としたが、蒸発させる物質が水以外の物質であった場合には、その物質における三重点Ｐ１の圧力より小さい圧力まで減圧することになる。
【００７７】
このように、被処理物を撹拌しながら冷却や加熱を行うため、処理棚に処理物をセットして乾燥する方法に比べて、効率よく処理することができる。また、一度氷の粒になった被処理物を、撹拌しながら乾燥させるため、処理物が固まった状態とならず、乾燥後に解砕をする必要がない。
【００７８】
なお、本実施形態においては、被処理物を撹拌しながら、造粒、凍結させる構成としたが、常温、常圧で造粒した造粒品を、撹拌造粒機１で撹拌しながら冷却して凍結させて、減圧乾燥させてフリーズドライ製品とするような構成としてもよい。
【００７９】
従来の減圧乾燥方法は、比較的高温で処理を行うため、温度を上げられない原料には好適でない。しかし、本実施形態のように被処理物を氷の粒にした後に昇華させる方法であれば、高温にせずに低温で乾燥させて、被処理物をフリーズドライ製品にすることができる。
【００８０】
従来の減圧乾燥方法は、被処理物の造粒品から液体を蒸発させる過程で造粒品が収縮することがあった。この点、撹拌しながら乾燥させる本実施形態によれば、造粒品が収縮することなく、ソフトな状態のフリーズドライ製品に仕上げることができる。
【００８１】
フリーズドライ製品を製造する一連の作業は、制御装置５１によって、自動的に動作を切り替えて行うことができる。即ち、制御装置５１が、例えばタイマ５２によって、第１工程、第２工程、第３工程を切り替えるように、撹拌造粒機１、熱媒体供給装置１６、圧力調整機構５３、撹拌機構５４等を動作させる。第１工程を行う制御は凍結制御に相当し、第３工程を行う制御は昇華制御に相当する。これにより、オペレータが制御装置５１に指示を１回行うだけで、撹拌造粒機１の容器の中で、スラリー等の原料からフリーズドライ製品を製造することができる。
【００８２】
以上に説明したように、本実施形態では、加熱が可能な容器２にアジテータ羽根４を備えて、真空ポンプ１８で減圧することにより、被処理物の乾燥を行う撹拌造粒機１を用いて、フリーズドライ製品の製造が以下のように行われている。昇華工程（第３工程）では、容器２に入っている凍結した被処理物を減圧環境下で撹拌しながら加熱することにより昇華させる。
【００８３】
これにより、容器２内で被処理物を撹拌しながら乾燥させるので、静置状態で乾燥する場合に比べて効率が良い。更に、撹拌しながら乾燥させるため、乾燥した被処理物が固まった状態とはならない。従って、乾燥後の解砕が不要である。
【００８４】
また、本実施形態では、容器２で撹拌しながら冷却することにより被処理物を凍結させる凍結工程（第１工程）が、昇華工程の前に行われる。
【００８５】
これにより、撹拌造粒機１の撹拌槽の中で、フリーズドライ製品の製造を完結させることができる。
【００８６】
ただし、上記の凍結工程では、容器２内に液体窒素を供給することで、被処理物を凍結させても良い。
【００８７】
この場合、容器２内で液体窒素と被処理物とが効率的に混合されて、素早く被処理物を凍結させることができる。
【００８８】
また、本実施形態において、アジテータ羽根４は、容器２の底部に配置されて上下方向に回転軸を有する。撹拌造粒機１は、チョッパ羽根２８を備える。チョッパ羽根２８は、容器２の側壁部に配置されて、アジテータ羽根４の回転軸と異なる向きの回転軸を有する。
【００８９】
これにより、撹拌時には、アジテータ羽根４とチョッパ羽根２８が異なる方向から切り込んで、分散性を高めることができる。また、造粒時には、チョッパ羽根２８が塊を粉砕して粒を整えることができる。
【００９０】
また、本実施形態において、容器２にはジャケット１５が形成されている。容器２内における加熱及び冷却は、ジャケット１５に熱媒体を供給することで行われる。
【００９１】
これにより、容器２内の被処理物を、効率的に加熱及び冷却することができる。
【００９２】
また、本実施形態のフリーズドライシステムは、加熱が可能な容器２にアジテータ羽根４を備えて、真空ポンプ１８で減圧することにより、被処理物の乾燥を行う撹拌造粒機１を含む。フリーズドライシステムは、昇華制御を行う制御装置５１を備える。昇華制御では、凍結した被処理物を減圧環境下で撹拌しながら加熱することにより昇華させる。
【００９３】
これにより、容器２内で被処理物を撹拌しながら乾燥させるので、静置状態で乾燥する場合に比べて効率が良い。更に、撹拌しながら乾燥させるため、乾燥した被処理物が固まった状態とはならない。従って、乾燥後の解砕が不要である。
【００９４】
以上に本発明の好適な実施の形態を説明したが、上記の構成は例えば以下のように変更することができる。
【００９５】
第１工程と第２工程が同時に行われても良い。即ち、撹拌しながら、冷却と減圧を同時並行的に行っても良い。
【００９６】
第１工程、第２工程、及び第３工程は、制御装置５１で自動的に切り替えながら連続的に行うことに代えて、オペレータが手作業で制御を切り替えて行っても良い。
【００９７】
容器２の内部の原料等を加熱／冷却する方法は、熱媒体をジャケット１５に供給する方法に限定されない。例えば、電熱ヒータにより加熱を行っても良い。
【００９８】
昇華させる溶媒は、水に限定されない。例えば、溶媒は、アセトン、アセトニトリル、酢酸、クロロホルム、ＤＭＳＯ、エタノール、メタノール、ジクロロメタン等の有機溶媒であっても良い。
【００９９】
図１に示す構成以外の撹拌造粒機によって、フリーズドライ製品の製造が行われても良い。
【符号の説明】
【０１００】
１  撹拌造粒機
２  容器（撹拌槽）
４  アジテータ羽根（撹拌羽根）
１５  ジャケット
１６  熱媒体供給装置
１８  真空ポンプ
２８  チョッパ羽根（解砕羽根）
５１  制御装置
５２  タイマ
５３  圧力調整機構
５４  撹拌機構
【図１】
2020085347.tif 000003
【図２】
2020085347.tif 000004
【図３】
2020085347.tif 000005
【図４】
2020085347.tif 000006